(57)【要約】【課題】ブロック塀などを構成するコンクリートブロック間の目地モルタルを均一に手間なく敷き込みできる横目地モルタル敷き込み型枠を提供すること。【解決手段】  横目地モルタルＡを型枠内に充填することで、ブロック組積体Ｂを構成するコンクリートブロックＣ上面に敷き込み可能とする横目地モルタル敷き込み型枠１０であって、型枠は、矩形状を有する枠体１１に、コンクリートブロックＣに形成された空洞Ｏを塞ぐ塞ぎ板１２を枠体１１内に配設すると共に、塞ぎ板１２以外の枠体１１内の空間部を、横目地モルタルＡを充填する充填空間Ｋとしたことを特徴とする横目地モルタル敷き込み型枠１０である。【選択図】図１
2014088729.tif 000002
【特許請求の範囲】
【請求項１】
目地モルタルを型枠内に充填することで、ブロック組積体を構成するコンクリートブロック上面に敷き込み可能とする横目地モルタル敷き込み型枠であって、
型枠は、矩形状を有する枠体に、コンクリートブロックに形成された空洞を塞ぐ塞ぎ板を枠体内に配設すると共に、
塞ぎ板以外の枠体内の空間部を、目地モルタルを充填する充填空間としたことを特徴とする横目地モルタル敷き込み型枠。
【請求項２】
型枠は、その枠体に目地モルタルの高さ調整をする高さ調整ネジを配設したことを特徴とする請求項１に記載の横目地モルタル敷き込み型枠。
【請求項３】
型枠は、複数のコンクリートブロック分を連設して一体に形成したことを特徴とする請求項１又は請求項２に記載の横目地モルタル敷き込み型枠。
【請求項４】
型枠は、上記塞ぎ板に縦筋を挿入可能な縦筋挿入部を配設したことを特徴とする請求項１〜請求項３のいずれか１項に記載の横目地モルタル敷き込み型枠。
【請求項５】
型枠は、その枠体と塞ぎ板部分を取り外し可能としたことを特徴とする請求項１〜請求項４のいずれか１項に記載の横目地モルタル敷き込み型枠。
【発明の詳細な説明】
【技術分野】
【０００１】
本発明は、横目地モルタル敷き込み型枠、詳しくは、ブロック塀等のコンクリート
空洞ブロックの接合する目地モルタルを効率よく敷き込む充填型枠に関する。
【背景技術】
【０００２】
一般に、ブロック塀等は、複数のコンクリートブロックを上下左右に組積して構成しているが、その際、コンクリートブロック間に目地モルタルを塗布して接合させるようにしている。
【０００３】
ブロック塀などを構築する際には、ブロックを定位置に設置するために、作業者が鏝を使用してモルタルを必要量取り、下段のコンクリートブロックの上面に塗布させて上段のコンクリートブロックを組積していた。このコンクリートブロックには、空洞が複数穿設されているが、隣り合うブロック同士を接合する空洞部（縦目地）以外の空洞には充填モルタルを入れる必要がなく、作業者が鏝での手作業によりコンクリートブロックの空洞に入り込まないように目地モルタルの量を調整しながら塗布していた。
【０００４】
このように、横目地モルタルは空洞を避けるようにブロックの狭小な面へ塗布しなければならないために、素早く塗布する熟練技能者が必要であった。また、作業者の技量によって、作業時間やコンクリートブロック間の目地モルタルの量にも変化が生じていた。しかも、作業者での手作業であるため、目地モルタルの量が不均一な場合が生じ、接合時にコンクリートブロック間から目地モルタルがはみ出した分を鏝で掻き落しする作業を必要としていた。
【０００５】
そこで、例えば、特許文献１には、コンクリートブロック上面に目地モルタルを塗布するのを支援するためのブロック積みサポート器具が開示されている。その特許文献１にはコンクリートブロックの空洞を塞ぐ島部を複数備えた枠体からなるブロック積みサポート器が開示されている。そして、ブロック積みサポート器の枠体内に目地モルタルを充填することで、コンクリートブロック上面に積層するようにしている。
【先行技術文献】
【特許文献】
【０００６】
【特許文献１】特開２００１−０５９３４５号公報
【発明の概要】
【発明が解決しようとする課題】
【０００７】
ところが、上記特許文献１に記載のブロック積みサポート器具では、一部の空洞に目地モルタルが入り込まないように島部を設けているものの、特に塗布する目地モルタルの高さ量を調節できるものではなかった。したがって、目地モルタルの高さ量を一定にしたり、その量を微調整したりできるものではなかった。この結果、あるコンクリートブロック間では、目地モルタルの量が不安定で、ブロック塀等の全体の強度が不均一になるおそれが生じていた。
【０００８】
また、上記特許文献１では、単一のコンクリートブロックに対して目地モルタルを塗布するものであるため、複数のコンクリートブロックに対して連続して充填できるものではなかった。このため、１個のコンクリートブロックに対して、個別に上記ブロック積みサポート器具を組み込んで目地モルタルを充填する構成としているため、施工作業の効率が低いものであった。
【０００９】
この発明は、上記課題を解決するためになされたもので、ブロック塀等を構成する際、コンクリートブロック間に塗布する目地モルタルを均一に手間なく敷き込みできる横目地モルタル敷き込み型枠を提供することを目的とする。
【課題を解決するための手段】
【００１０】
請求項１に記載の発明は、目地モルタルを型枠内に充填することで、ブロック組積体を構成するコンクリートブロック上面に敷き込み可能とする横目地モルタル敷き込み型枠であって、型枠は、矩形状を有する枠体に、コンクリートブロックに形成された空洞を塞ぐ塞ぎ板を枠体内に配設すると共に、塞ぎ板以外の枠体内の空間部を、目地モルタルを充填する充填空間としたことを特徴とする横目地モルタル敷き込み型枠である。
【００１１】
請求項２に記載の発明は、型枠は、その枠体に目地モルタルの高さ調整をする高さ調整ネジを配設したことを特徴とする請求項１に記載の横目地モルタル敷き込み型枠である。
【００１２】
請求項３に記載の発明は、型枠は、複数のコンクリートブロック分を連設して一体に形成したことを特徴とする請求項１又は請求項２に記載の横目地モルタル敷き込み型枠である。
【００１３】
請求項４に記載の発明は、型枠は、上記塞ぎ板に縦筋を挿入可能な縦筋挿入部を配設したことを特徴とする請求項１〜請求項３のいずれか１項に記載の横目地モルタル敷き込み型枠である。
【００１４】
請求項５に記載の発明は、型枠は、その枠体と塞ぎ板部分を取り外し可能としたことを特徴とする請求項１〜請求項４のいずれか１項に記載の横目地モルタル敷き込み型枠である。
【発明の効果】
【００１５】
請求項１に記載の発明によれば、枠体内に目地モルタルを充填するだけでよく、施工性が簡単であり、作業効率を向上させることができる。したがって、目地モルタルを塗布する熟練者でなくても、簡単に均一に目地モルタルを充填することができる。しかも、型枠内にモルタルを充填させれば済む作業であるため、目地モルタルに直接触れずに汚すことなく作業が可能になる。
【００１６】
また、型枠は、コンクリートブロックに形成された空洞を塞ぐ塞ぎ板を枠体内に配設しているので、コンクリートブロックの空洞に目地モルタルを充填することなく、コンクリートブロックの空洞以外の部分に簡単に横方向の目地モルタル（横目地モルタル）を敷き込む（塗布）できる効果を有する。さらに、目地モルタルを必要とする量だけ使用することができ、目地モルタルの材料のロス率が少なくなり、従来のような余分な目地モルタルを鏝で掻き落す作業を必要としない。
【００１７】
さらに、目地モルタルを型枠内に充填すれば、ブロック接合面に均等にムラなく敷き込むことができる。これにより、全コンクリートブロック間の目地モルタル量を均一にすることができ、コンクリートブロックを構成するブロック塀全体を強固なものにすることができる。
【００１８】
請求項２に記載の発明によれば、目地モルタルの高さを微調整することができる。これにより、コンクリートブロックの種類、天候などの環境、目地モルタル素材の混合比等に応じて、適宜目地モルタルの高さを調整することができる。
【００１９】
請求項３に記載の発明によれば、複数のコンクリートブロック分を連設して一体に形成しているので、複数のコンクリートブロック分に対して同時に目地モルタルを充填することができる。
【００２０】
請求項４に記載の発明によれば、型枠は、上記塞ぎ板に縦筋を挿入可能な縦筋挿入部を配設しているので、基礎コンクリート上に立設した縦筋を縦筋挿入部に挿入しながら、型枠をコンクリートブロック上に載置して目地モルタルを充填できる効果を有する。
【００２１】
請求項５に記載の発明によれば、型枠は、その枠体と塞ぎ板部分を取り外し可能としているので、現場では組み立てることで目地モルタル充填用の型枠として使用し、それ以外では分解して輸送可能な形態とすることができる。また、コンクリートブロックの大きさ、空洞の数、大きさに応じて、枠体及び塞ぎ板の大きさ、数などを変更したものを準備し、これらを組み合わせる等して型枠を形成することが可能となる。
【図面の簡単な説明】
【００２２】
【図１】本実施形態における横目地モルタル敷き込み型枠の全体構造を示した説明図である。
【図２】本実施形態における横目地モルタル敷き込み型枠のネジ有り構造を示した説明図である。
【図３】本実施形態における横目地モルタル敷き込み型枠の縦筋を横抜きする構造を示した説明図である。
【図４】施工前のコンクリートブロックの状態を説明する説明図である。
【図５】コンクリートブロックの上に横目地モルタル敷き込み型枠を載置した状態を説明する説明図である。
【図６】横目地モルタル敷き込み型枠内に目地モルタルを充填した状態を説明する説明図である。
【図７】コンクリートブロックから横目地モルタル敷き込み型枠を型抜きした状態を説明する説明図である。
【図８】上段側にコンクリートブロックを組積した状態を説明する説明図である。
【図９】型枠に配設した高さ調整ネジによる目地モルタルの高さ調整を説明する説明図である。
【発明を実施するための形態】
【００２３】
［横目地モルタル敷き込み型枠の構造］
まず、本実施形態における横目地モルタル敷き込み型枠１０の構造について図１を参照して説明する。
【００２４】
図１（ａ）及び図１（ｂ）は、本実施形態における横目地モルタル敷き込み型枠１０の全体構造を説明する説明図である。
図１（ａ）及び図１（ｂ）に示すように、本実施形態における横目地モルタル敷き込み型枠１０は、枠体１１と複数の塞ぎ板１２とを備え、その枠体１１内の複数の塞ぎ板１２以外の空間を横目地モルタルＡの充填空間Ｋとして構成している。なお、横目地モルタル敷き込み型枠１０の素材は限定されず、木製、金属製、樹脂製でもよい。
【００２５】
枠体１１は、コンクリートブロックＣ上面と略同一の矩形形状を有している。枠体１１の大きさはコンクリートブロックＣの大きさに基づいて適宜選択可能である。枠体１１は、その左右の幅員がコンクリートブロックＣの幅員より若干大きく形成されている。塞ぎ板１２の厚みも、ブロックＣを叩いて高さを調整し据え付けるためコンクリートブロックＣ間に敷き込む横目地モルタルＡの仕上げ厚（通常１０ｍｍ）より若干厚めである。また、横目地モルタルＡをこれ以上の仕上げ厚にする場合には、下記に説明する高さ調整ネジ２１を用いて調整可能である。
【００２６】
また、枠体１１はコンクリートブロックＣの左右端部から左右に所定幅突出させ、その突出させた枠体１１の下部からさらに下方に所定長さ突出させており、この下方に所定長さ突出させた部分を係止突起１９としている。そして、この係止突起１９でコンクリートブロックＣの左右端部に係止させるように構成している。
【００２７】
塞ぎ板１２は、コンクリートブロックＣ上の複数の空洞Ｏが位置する箇所にそれぞれ配設されている。すなわち、塞ぎ板１２は、図１（ａ）及び図１（ｂ）に示すように、コンクリートブロックＣ上の複数の空洞Ｏが位置する箇所であって、空洞Ｏを塞ぐように複数並列して構成することで、横目地モルタルＡが塗布されないようにしている。
【００２８】
空洞Ｏは略矩形で４角にアールを形成しているが、塞ぎ板１２の形状もこれに合致し、または、これより若干大きめに形成されている。このように、本実施形態では、横目地モルタル敷き込み型枠１０に設けた塞ぎ板１２で空洞Ｏを塞ぎ、枠体１１内の塞ぎ板１２以外の充填空間Ｋに横目地モルタルＡを敷き込むように構成している。
【００２９】
また、塞ぎ板１２間を棒状の連結片１３ａで連結すると共に連結すると共に、枠体１１と塞ぎ板１２との間にも棒状の連結片１３ｂで連結することで、枠体１１内と複数の塞ぎ板１２とが一体となって構成されている。棒状の連結片１３ａ，１３ｂは、その部分には横目地モルタルＡが塗布されないので、可及的に細い方が望ましい。
【００３０】
なお、型枠１０は、枠体１１と各塞ぎ板１２とを取り外し可能とすることもできる。このように、枠体１１と塞ぎ板１２を取り外しすることで、コンクリートブロックＣの大きさ、空洞Ｏの大きさに応じた枠体１１と塞ぎ板１２とを準備して配置することができる。
【００３１】
また、本実施形態では、枠体１１の中央と両端には縦筋１５を挿入可能な縦筋挿入部１８ａ〜１８ｃを設けている。これにより、基礎コンクリート２２上に立設した縦筋１５に影響されることなく、コンクリートブロックＣ上に型枠１０を載置可能としている。
【００３２】
枠体１１の中央（２つのコンクリートブロックＣ間）に配設した縦筋挿入部１８ａ〜１８ｃは、図２（ａ）及び図２（ｂ）に示すような、縦筋１５に対して枠体１１を上から下へ挿入するタイプ（貫通孔１８ａ）と、図３（ａ）及び図３（ｂ）に示すような、縦筋１５に対して横方向から挿入するタイプ（切欠部１８ｂ）とが挙げられる。
【００３３】
図２（ａ）及び図２（ｂ）に示すように、縦方向から挿入するタイプとしては、中央に位置するコンクリートブロックＣ間の塞ぎ板１２に長円形の貫通孔１８ａが形成されたものである。これに対して、図３（ａ）及び図３（ｂ）に示すように、横方向から挿入するタイプとしては、塞ぎ板１２の端部にかけて長円形の切欠部１８ｂを有したものである。
【００３４】
また、枠体１１の両端に配設した縦筋挿入部１８ａ〜１８ｃは、枠体１１の両端部内方に形成された凹部１８ｃである。このようにして、型枠１０の中央にある縦筋１５ではコンクリートブロックＣ，Ｃ間に配設された縦筋挿入部１８ａ〜１８ｃにより挿入可能とし、コンクリートブロックＣの両端にある縦筋１５では、型枠１０の両端に設けた凹部１８ｃにより挿入可能としている。
【００３５】
そして、本実施形態における横目地モルタル敷き込み型枠１０は、塞ぎ板１２以外の空間部を横目地モルタルＡの充填空間Ｋとしている。すなわち、上記塞ぎ板１２とこの塞ぎ板１２間の連結部以外の空間は横目地モルタルＡの充填空間Ｋである。したがって、この充填空間Ｋに横目地モルタルＡを充填させれば、空洞Ｏ以外のコンクリートブロックＣ上面のほぼ全面に横目地モルタルＡを敷き込む（塗布）することができる。
【００３６】
本実施形態における型枠１０は、複数のコンクリートブロックＣ分を連設して一体で形成したものである。本実施形態では、２個のコンクリートブロックＣに対して同時に横目地モルタルＡを充填するように形成しているが、２個の数に限定されず、３個以上でもよい。また、型枠１０は、コンクリートブロックＣ１個分の枠体１１を後付けで接合させて複数のコンクリートブロックＣ分になるようにしてもよい。
【００３７】
このように、複数のコンクリートブロックＣ分を一つの型枠１０で構成することにより、複数のコンクリートブロックＣに対して同時に横目地モルタルＡを充填することができ、１つのコンクリートブロックＣに対して横目地モルタルＡを敷き込む場合に比べて作業を効率化することができる。
【００３８】
［コンクリートブロックＣの構造］
一般に、コンクリートブロックＣは、図８に示すように、略直方体に構成されたブロック本体を有しており、ブロック本体には左右両端には断面半円弧状の縦溝Ｔが形成されていると共に、ブロック本体内には上下に貫通させた空洞Ｏが所定間隔有して複数形成されている。上記ブロック本体の左右両端の縦溝Ｔは、ブロック同士を接合することで略空洞Ｑとなる。その略空洞Ｑにはブロック塀Ｂの補強用となる縦筋１５を配筋できるように上記縦溝Ｔは断面半円弧状に形成されている。
【００３９】
コンクリートブロックＣは、上下に複数組積することでブロック塀Ｂや擁壁等を構成するために利用されている。それらを上下に複数組積して接合するために、コンクリートブロックＣ間に横目地モルタルＡを塗布している。本実施形態では、横目地モルタルＡの施工性を良くする共に、横目地モルタルＡ量を均一化させて施工できる横目地モルタル敷き込み型枠１０に関するものである。
【００４０】
［横目地モルタル敷き込み型枠を使用した施工方法］
本実施形態における横目地モルタル敷き込み型枠１０を使用した施工方法を図４〜図８を参照して詳細に説明する。
本実施形態では、１段目のコンクリートブロックＣの上に２段目のコンクリートブロックＣを積む工程について説明する。もちろん、本実施形態における施工方法は基礎コンクリート２２上に１段目のコンクリートブロックＣを積むことにも適用することができる。また、表面を加工した化粧ブロックにも適用することができる。
【００４１】
図４は、基礎コンクリート２２上に１段目のコンクリートブロックＣを載置した後、１段目の上面に横目地モルタルＡを施工する前の状態を示す説明図である。
図４に示すように、コンクリートブロックＣの両端には縦溝Ｔが形成されており、１段目のコンクリートブロックＣ同士を接合することで上記縦溝Ｔの接合による略空洞Ｑが形成される。その略空洞Ｑにはその下端側が基礎コンクリート２２上に配筋された縦筋１５がモルタルと共に配設されている。
【００４２】
図５は、コンクリートブロックＣの上面に横目地モルタル敷き込み型枠１０を載置した状態を示す説明図である。
図５に示すように、１段目のコンクリートブロックＣ上に２つのコンクリートブロックＣをまたぐように横目地モルタル敷き込み型枠１０を載置する。すなわち、横目地モルタル敷き込み型枠１０の左右下部に突設させた係止突起１９を１段目コンクリートブロックＣの幅方向左右端部に係止させる。
【００４３】
これにより、コンクリートブロックＣに対して横目地モルタル敷き込み型枠１０が左右方向に揺動するのを規制する。このとき、各空洞Ｏの箇所を塞ぐように塞ぎ板１２が位置している。枠体１１内の充填空間Ｋには、コンクリートブロックＣの上面が露出している。
【００４４】
また、コンクリートブロックＣ間にある塞ぎ板１２部分に配設した貫通孔１８ａに縦筋１５を挿入した形で載置する。すなわち、上からのタイプは横目地モルタル敷き込み型枠１０を縦筋１５の上から挿通してコンクリートブロックＣの上面に載置する。これに対して、横からのタイプは横から縦筋１５を切欠部１８ｂに挿通することで、コンクリートブロックＣ上面に載置できる。
【００４５】
このように、本願発明では、縦筋１５を挿入した状態で横目地モルタル敷き込み型枠１０をコンクリートブロックＣ上に載置することができる。すなわち、基礎コンクリート２２上に予め縦筋１５が配筋された状態でも、型枠１０をコンクリートブロックＣ上に設置できる効果を有している。
【００４６】
図６は、横目地モルタル敷き込み型枠１０内の充填空間Ｋに横目地モルタルＡを充填した状態を示す説明図である。
そして、枠体１１内の塞ぎ板１２以外の空間に横目地モルタルＡを充填する。充填する横目地モルタルＡは、一般的に使用されているものであり、セメントに水と細骨材（砂）を混合して練って形成されたものである。
【００４７】
充填空間Ｋに横目地モルタルＡを充填することで、空洞Ｏ以外のコンクリートブロックＣ上面全体に横目地モルタルＡを敷き込むことができる。また、図６に示すように、横目地モルタル敷き込み型枠１０内に充填した横目地モルタルＡの表面をならして均一化している。均一化作業は枠体１１の上端部と枠体１１の最上面と枠体１１上面とを一致させるように鏝１６でならす。この均一化により、型枠１０内の横目地モルタルＡの量を枠体一杯にして充填することができる。
【００４８】
このようにして、型枠１０の枠体１１一杯になるまで横目地モルタルＡを充填することでモルタル全面の高さ位置を均一にすることができる。したがって、ブロック間の横目地モルタルＡ量をブロック塀Ｂ等の全体で均一にして、コンクリートブロックＣを構成するブロック塀Ｂ全体を強固なものにすることができる。
【００４９】
図７は、横目地モルタル敷き込み型枠１０をコンクリートブロックＣから外した状態を示す説明図である。
図７に示すように、上記横目地モルタルＡの充填作業が完了すれば、コンクリートブロックＣ上に載置した横目地モルタル敷き込み型枠１０を取り外す。これにより、コンクリートブロックＣの上面には塗布した横目地モルタルＡの部分が残る。この残った部分が上下のコンクリートブロックＣを接合する部分となる。組積するコンクリートブロックＣ１の左右両端部に縦目地モルタルＡ１を塗布しておく。
【００５０】
図８は、下段コンクリートブロックＣの上に上段コンクリートブロックＣを組積した状態を示す説明図である。
図８に示すように、横目地モルタルＡが敷き込まれた下段コンクリートブロックＣの上に上段コンクリートブロックＣを組積する。このとき、水平に張られた図示しない水糸により水平状態を確認しながら組積する。これにより、上段コンクリートブロックＣと下段コンクリートブロックＣとを横目地モルタルＡにより接合する。
【００５１】
従来では、この接合する横目地モルタルＡの量が作業者の感覚で盛り付けられるため、コンクリートブロックＣ間から横目地モルタルＡが溢れ出すことがあり、この溢れ出した分を作業者が鏝１６で掻き落す作業を要していた。
【００５２】
本実施形態では、横目地モルタルＡを枠体１１内に充填すれば一定の量が敷き込まれることになるため、横目地モルタルＡの材料ロスが少なくなり、上記のような掻き落し作業が不要になり、作業効率も向上する。
【００５３】
最後に、１段目のコンクリートブロックＣ上に２段目のコンクリートブロックＣを載置した後、縦筋１５が配設されている略空洞Ｑ、すなわち左右のコンクリートブロックＣ同士の端部間で構成された略空洞Ｑには、モルタルを充填できるようにしている。これにより、縦筋１５を固定できるようにしている。
【００５４】
［目地モルタルの高さ調整］
コンクリートブロックＣの重さ、環境の違い、横目地モルタルＡの材料によって、横目地モルタルＡの量を調整する必要がある。このため、横目地モルタルＡの高さを微調整することで横目地モルタルＡの量を制御することが必要である。本実施形態では上記横目地モルタル敷き込み型枠１０に加え、横目地モルタルＡの高さの微調整を可能としている。すなわち、上記型枠１０に加え、図２（ａ）及び図２（ｂ）に示すように、型枠１０の枠体１１に高さ調整ネジ２１を配設可能としている。
【００５５】
図９（ａ）〜図９（ｂ）は、型枠１０に配設した高さ調整ネジ２１により横目地モルタルＡの高さ調整する前の状態を説明する説明図である。図９（ｃ）〜図９（ｄ）は、型枠１０に配設した高さ調整ネジ２１により横目地モルタルＡの高さ調整した後の状態を説明する説明図である。図９（ａ）〜図９（ｄ）に示すように、横目地モルタル敷き込み型枠１０の高さ位置を調整することにより、横目地モルタルＡの高さ量を調節することができる。
【００５６】
すなわち、高さ調整ネジ２１は、調整用ボルト２１ａに高さ調整ナット２１ｂを螺合して構成したものである。高さ調整ネジ２１は、枠体１１の長さ方向の前後であって、左右に４個設けている。高さ調整ネジ２１の位置は、コンクリートブロックＣの前後両端であって左右両端の位置に設けている。なお、この高さ調整ネジ２１の位置には横目地モルタルＡを塗布することができないので、後で手作業により横目地モルタルＡを塗布するようにしてもよい。
【００５７】
高さ調整ネジ２１の調整にあっては、図９（ａ）〜図９（ｄ）に示すように、調整用ボルト２１ａの下端部２１ｃがコンクリートブロックＣの左右端部の上面に当接しており、下部に設けた高さ調整ナット２１ｂに対して調整用ボルト２１ａをネジ込むことにより、型枠１０全体が上方にスライドする。
【００５８】
高さ調整ネジ２１により、型枠１０を上方にスライドさせることで横目地モルタルＡの量を増やすことができ、型枠１０を降下させることで横目地モルタルＡの量を抑えることができる。このように、適用箇所に応じたコンクリートブロックＣ間の横目地モルタルＡの量を調節できることができる。
【００５９】
以上のように、本実施形態における横目地モルタル敷き込み型枠１０は枠体１１内の充填空間Ｋに横目地モルタルＡを充填させるだけでよく、施工が簡単なため作業効率を上げることができる。熟練者でなくてもコンクリートブロックＣ上に横目地モルタルＡを敷き込むことができる。
【００６０】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００６１】
Ａ  目地モルタル
Ｃ  コンクリートブロック
１０  横目地モルタル敷き込み型枠
１１  枠体
１２  塞ぎ板
１８ａ〜１８ｃ  縦筋挿入部
２１  高さ調整ネジ
【図１】
2014088729.tif 000003
【図２】
2014088729.tif 000004
【図３】
2014088729.tif 000005
【図４】
2014088729.tif 000006
【図５】
2014088729.tif 000007
【図６】
2014088729.tif 000008
【図７】
2014088729.tif 000009
【図８】
2014088729.tif 000010
【図９】
2014088729.tif 000011